【手続補正書】
【提出日】平成17年9月7日(2005.9.7)
【手続補正１】
【補正対象書類名】明細書
【補正対象項目名】全文
【補正方法】変更
【補正の内容】
【書類名】              明細書【発明の名称】          開口部構造【特許請求の範囲】    【請求項１】  上枠および左右の縦枠を有する扉枠と、該扉枠と床で形成された開口部に設けられる扉と、該扉を支持する支持手段とを備え、前記床は主として木質系材料で形成され、前記支持手段は前記上枠と前記扉の上木口との間および前記扉の下木口と前記床との間で前記扉を開閉可能に支持してなる開口部構造。    【請求項２】  請求項１において、前記支持手段は前記扉の左右方向の一方の側寄りの前方で前記縦枠の扉側先端またはその前方に位置する軸を中心に前記扉を開閉可能に支持してなる開口部構造。    【請求項３】  請求項２において、前記扉の前面側は少なくとも前記支持手段が設けられる側の上下方向に延在する肉厚部を有し、該肉厚部の上下木口に前記軸を位置させてなる開口部構造。【発明の詳細な説明】      【０００１】    【発明の属する技術分野】  本発明は、垂直軸の周りに回転可能な扉を有する開口部構造（または扉装置）に関するものである。      【０００２】    【従来の技術】  従来の開口部構造としては、たとえば扉の片側面の上部と下部に、丁番の一方の固定用片を取り付け、丁番の他方の固定用片を扉枠側に固定したものが知られている。      【０００３】  また、別の開口部構造として、たとえば上枠、下枠および縦枠を有する扉枠の上枠と下枠にそれぞれ固定された扉枠側連結部材と、扉側に固定された扉側連結部材とを有し、上枠側連結部材と扉の上部側連結部材との間、下枠側連結部材と扉の下部側連結部材との間にそれぞれ軸を設け扉を開閉するようにしたものが知られている（たとえば特許文献１参照）。      【０００４】        【特許文献１】          特許第２５１９０９７号公報（第２頁、第１図）      【０００５】    【発明が解決しようとする課題】  しかしながら、前者の開口部構造においては、丁番などの支持金具が扉の片側端面の上下位置に取り付けられているものであるから、支持金具に扉の重さによる大きな曲げモーメントや引張力がかかり支持金具の負荷が大きくなる。このため扉は、その支持金具側と反対の側が下がり易い。扉が下がると、扉を閉じた際の扉と扉枠との間の密着が不完全となったり、扉の下端が床に接触したりして開閉が困難になるおそれがあった。      【０００６】  また、後者の開口部構造（特許文献１）は、施工の手順にしたがい、規準通りに施工された場合には確かに良好に開閉する。しかし、長く使用する間に、その下枠側連結部材はねじ棒を介して床に置かれたものであるから、下枠側連結部材に対するねじ棒の緩み、床の局部的な沈みなどから、下枠側連結部材とねじ棒の相対的な位置関係が変化する。下枠側連結部材とねじ棒の相対的な位置関係が変化すると扉の重みで下枠がねじれ、扉枠にゆがみ（変形）が発生するおそれがある。扉枠にゆがみが発生すると、扉と扉枠との間に隙間ができるので、光や音の漏れ、空気の流通など扉としての機能が低下し、扉本来の働きができないおそれがあるので慎重な取り付けと十分な保守管理が必要である。      【０００７】  本発明の課題は、扉の下がりが小さく、かつ扉が少なくとも９０度以上回転し開口幅が大きいことである。      【０００８】    【課題を解決するための手段】  上記課題を解決するため、本発明は、上枠および左右の縦枠を有する扉枠と、この扉枠と床で形成された開口部に設けられる扉と、この扉を支持する支持手段とを備える。さらに、床は主として木質系材料で形成され、支持手段は上枠と扉の上木口との間および扉の下木口と床との間で扉を開閉可能に支持することを特徴とする。      【０００９】  このようにすることにより、支持手段は上枠と扉の上木口との間および扉の下木口と床との間で扉を開閉可能に支持するので、扉の自重による曲げモーメントやせん断力が小さくなり扉の下がりが小さくなる。      【００１０】  さらに、支持手段は扉の左右方向の一方の側寄りの前方で縦枠の扉側先端またはその前方に位置する軸を中心に扉を開閉可能に支持すると良い。このようにすると、扉の軸は左右方向の一方の側寄りの前方で縦枠の扉側先端またはその前方に位置するので、扉を回転させて開いたときに、扉は少なくとも９０度以上の回転角度を有する。扉が少なくとも９０度以上の回転角度を有するので、扉を開いたときの開口幅の大きさが大となる。      【００１１】  さらに、扉の前面側は少なくとも支持手段が設けられる側の上下方向に延在する肉厚部を有し、この肉厚部の上下木口に軸を位置させると良い。こうすると、扉は支持手段が設けられる側の上下方向に延在する肉厚部を有するので、この位置の扉の厚みが大きくなり、扉の断面の断面二次モーメントや断面係数などが大きくなる。扉の断面二次モーメントや断面係数などが大きくなると扉に働く曲げモーメントやせん断力に対して強度が高まり、曲がりや反り、振動などに強くなり、扉の機械的、物理的強度を高めることができる。      【００１２】  次に本発明を構成する各要件についてさらに詳しく説明する。本発明の開口部構造は、扉枠を有し、その扉枠の開口部を扉の略水平面内での回転によって開閉するものである。この場合、扉は片側開きはもちろん両側開き、たとえば観音開き式でも良い。扉枠は、バリアフリーのために下枠が無く、上枠と一対の縦枠を有する略門形のものであるが、後述のように床面と同じ高さレベルの下枠が設けられても良い。      【００１３】  床は、主として木質系材料で形成され、たとえば、その表面に化粧材を設けることができれば特に限定されないが、合板、木質繊維板（ＭＤＦなど）、木削片板、単板積層板などである。さらに、床は、それを形成する床板の強度が床側受け部を設ける（固定する）に足る強度を有すれば、これに設けても良いが、床板の厚みが小さく、床板自体の強度が不足するときは床板を支える下地構造体に固定されると良い。      【００１４】  支持手段は、扉を水平面内で回転可能に支持できるものであれば特に限定されないが、上枠に固定される上枠側受け部と上木口に固定される上木口側支持部材、および下木口に固定される下木口側支持部と床に固定される床側受け部を設けても良い。上枠側受け部と上木口側支持部材、および下木口側支持部と床側受け部は、回転可能に連結され、たとえば円柱形の軸と、この軸が回転可能に挿通される穴（または孔）を有する軸受とを有するピボット式の支持手段が好適に利用できる。      【００１５】  さらに、支持手段は扉を正面から見て、扉の左右方向の一方の側寄りの前方で縦���の扉側先端またはその前方に位置する軸を中心に扉を開閉可能に支持するが、このようにすると扉を回転して開いたときに扉を閉まった状態から１８０度開けるように形成することもできる。      【００１６】  扉の前面側は少なくとも支持手段が設けられる側の上下方向に延在する肉厚部を有するが、扉の縦方向（上下方向）に対する強度が大きくなれば、肉厚部の形状は特に限定されない。要するに扉の縦方向の強度が大きくなり、かつ意匠的な配慮をした形状とする。たとえば、肉厚部は扉の左右方向の片側または両側に、その前面から盛り上がって厚くなった凸起状のものを設けても良いし、扉の片側または両側に、各端から扉の中央に向かって滑らかな凸曲線を有する肉厚部を設けても良い。      【００１７】  さらに、肉厚部は扉の左右方向の中央面を境に左右対称または非対称に形成されても良い。また、肉厚部は扉の左右方向の少なくとも一方の側寄りの前方に突出し、かつその先端側が隣接する縦枠側に寄るように形成されても良い。こうすると、扉を開いたときに開口幅を大きくとれる。因みに、扉の肉厚部以外の部分は、中実でも良いし中空でも良く、あついはフラッシュ扉のように芯材とこれに張る板材で形成される中空部でも良い。      【００１８】  扉および扉枠の材質は、その表面に化粧材を設けることができれば特に限定されないが、合板、木質繊維板（ＭＤＦなど）、木削片板、単板積層板などの木質系、スチロール樹脂、塩化ビニル樹脂、強化プラスチック、発泡スチロール樹脂、発泡ウレタン樹脂などの合成樹脂系の板、あるいは木質系や合成樹脂系の複合積層板などを使用できる。      【００１９】  化粧材は、扉および扉枠の面に沿って、すなわちその面に溝や凹部が設けられる場合、これら溝や凹部の内面に対しても化粧材が設けられる。化粧材は付着力または粘着力を有する熱可塑性樹脂や流動性合成樹脂などが扉または扉枠に直接塗布され形成されても良いし、化粧シートが接着剤を介して貼着され形成されても良い。化粧材を基材に接着する接着剤は、熱可塑性接着剤、たとえば酢酸ビニル樹脂などに耐水性向上のために熱硬化性樹脂または尿素粉末などを混入させたものなどを用いることができる。      【００２０】  化粧材として用いられる化粧シートは、たとえば天然木材を切削して得られる天然突板、人工突板および不織布、紙、合成樹脂などのシートとしても良いし、可撓性を有する材料のシートに各種模様を印刷したものとしても良い。化粧シートとして用いる合成樹脂は、たとえばオレフィン樹脂、塩化ビニル樹脂、ポリエステル樹脂、アクリル樹脂などとしても良い。さらに、化粧材として、上記合成樹脂シートの間に紙を挟んで圧着した複合シート、合成樹脂を含浸させた含浸紙なども利用できる。さらに、これら化粧材に上塗りをしても良い。化粧材の厚みは、たとえば０．０５〜１ｍｍの範囲で決めると良い。      【００２１】    【発明の実施の形態】  以下、本発明に係る開口部構造の実施形態を図面に基づいて詳細に説明する。なお、図１〜１３において、同一または同等部分には同一符号を付けて示す。      【００２２】  図１は、本発明に係る開口部構造の第１実施形態を示す正面図である。第１実施形態の開口部構造は、扉枠１０を有し、その扉���の開口部２４に扉１を取り付け、この扉１を略水平面内で回転できるようにして開閉するものである。扉枠１０は、バリアフリーのために下枠が無く、上枠１２と一対の縦枠１４を有する略門形のものである。扉１は、扉枠の上枠１２と床２２との間に上部ヒンジ（支持手段）２６と下部ヒンジ（支持手段）４６とで回転可能に支えられる。      【００２３】  扉枠および扉は、たとえば主として木質繊維板（ＭＤＦなど）で形成され、表面に化粧材が設けられる。化粧材は、扉枠および扉の少なくとも露出面に設けられ、当然曲げ可能な材料または可撓性を有する材料が選定される。化粧材は、たとえば天然木材を切削して得られる天然突板や表面に各種模様を印刷した合成樹脂シートなどとする。また、化粧材を木質繊維板などで形成された扉や扉枠の表面に接着する接着剤としては、熱可塑性接着剤、たとえば酢酸ビニル樹脂などに耐水性向上のために熱硬化性樹脂または尿素粉末などを混入させたものなどを用いることができる。化粧材の厚みは、たとえば０．０５〜１ｍｍの範囲で決められる。      【００２４】  床２２は、主として木質系材料で形成され、たとえば、その表面に化粧材を設けることができれば特に限定されないが、合板、木質繊維板（ＭＤＦなど）、木削片板、単板積層板などである。床の表面に設ける化粧材は、先に挙げた化粧材と同じである。      【００２５】  図２は、図１におけるI−I線断面図である。図３は、図１におけるII−II線断面図である。第１実施形態の開口部構造は、扉１、扉枠１０、床２２および上部ヒンジ２６および下部ヒンジ４６の他にケーシング１８および戸当り２０を有する。ケーシング１８は、扉枠１０の周囲三方に設けられ、前方側と後方側の二面に設けられる。戸当り２０は、扉１を閉めたときの当りであり、ケーシング１８と同様に扉枠１０の内側中央で三方に設けられる。図２で分かるように、上部ヒンジ２６のピン（軸）４０および下部ヒンジ４６のピン（軸）６０は、扉の片側寄りの前方で縦枠の前側先端１５より外側に位置する。上部ヒンジ２６および下部ヒンジ４６は、このピン４０、６０を中心に扉を開閉可能に支持する。      【００２６】  図４は、第１実施形態の開口部構造の上部ヒンジ２６を示し、（Ａ）は拡大側面図、（Ｂ）は平面図である。上部ヒンジ２６は、上枠１２に固定される上枠側受け部２８と、上木口３側に固定される上木口側支持部材３６とを有する。そして、上枠側受け部２８と上木口側支持部材３６は、後述のピン（軸）４０を中心に互いに回転可能に連結され、扉１を開閉可能に支持する。ピン４０は、扉１の片側寄りの前方に位置する。      【００２７】  上枠側受け部２８は、略三角形状で厚肉の受け部２８ａと、受け部２８ａから延在する薄肉部２８ｂとを有し、受け部２８ａと薄肉部２８ｂとの間に段差３４が形成されている。受け部２８ａには穴３２が形成されている。薄肉部２８ｂには二つの取付孔３５が形成され、上枠１２に対して止めねじ３０で固定される。      【００２８】  上木口側支持部材３６は、略三角形状で厚肉の受け部３６ａと、受け部３６ａから延在する薄肉部３６ｂとを有し、受け部３６ａと薄肉部３６ｂとの間に段差４４が形成されている。受け部３６ａには円柱形のピン（軸）４０���、このピン４０を上方に付勢するばね４２と、ピン４０をつまむつまみ４１が形成されている。薄肉部３６ｂには二つの取付孔４５が形成され、扉の上木口３に対して止めねじ３８で固定される。因みに、ピン４０は穴３２に対して回転可能に挿通される。      【００２９】  図５は、第１実施形態の開口部構造の下部ヒンジ４６を示し、（Ａ）は拡大側面図、（Ｂ）は平面図である。下部ヒンジ４６は、扉の下木口５に固定される下木口側支持部４８と、床２２側に固定される床側受け部５６とを有する。そして、下木口側支持部４８と床側受け部５６は、後述のピン（軸）６０を中心に互いに回転可能に連結され、扉１を開閉可能に支持する。ピン６０は、扉１の片側寄りの前方に位置する。      【００３０】  下木口側支持部４８は、略三角形状で厚肉の受け部４８ａと、受け部４８ａから延在する薄肉部４８ｂとを有し、受け部４８ａと薄肉部４８ｂとの間に段差５４が形成されている。受け部４８ａには穴５２が形成されている。薄肉部４８ｂには二つの取付孔５５が形成され、扉の下木口５に対して止めねじ５０で固定される。      【００３１】  床側受け部５６は、円筒形のピン６０で、その下部には円盤状の座６１が形成されている。床２２に対しては止めねじ５８で固定される。因みに、ピン６０は穴５２に対して回転可能に挿通され、床側受け部５６は下木口側支持部４８を介して扉１の重量を支える。      【００３２】  以上の構造を有する第１実施形態の開口部構造は、次のように作用する。すなわち、図１において、上部ヒンジ２６は上枠１２と扉の上木口３との間で、下部ヒンジ４６は扉の下木口５と床２２との間で扉１を開閉可能に支持するので、扉１の自重による曲げモーメントやせん断力が小さくなり、扉１の下がりが小さくなる。      【００３３】  図６は、第１実施形態の開口部構造において、扉１を開いた状態の横断面図である。上部ヒンジ２６のピン４０および下部ヒンジ４６のピン６０はその片側寄りの前方で縦枠の前側先端１５の外側に位置するので、扉１を回転させて開いたときに、扉１は１８０度回転し、かつ扉枠１０の前方に位置する。扉１が扉枠１０の前方に位置することにより扉１を開いたときの開口幅Ｗが大きくなる。このようにすると第１実施形態の開口部構造は、扉１を回転して開いたときに扉１を閉まった状態から１８０度開けるようにでき、かつ開口幅Ｗも大きくとれる。      【００３４】  図７は、本発明に係る開口部構造の第２実施形態を示す斜視図である。第２実施形態の開口部構造は、第１実施形態の開口部構造に比べ相違するところは、扉１と、これを支える上下部ヒンジとにある。すなわち、扉１は、その両側の上下方向６に肉厚部８が延在し、片側（図の右側）の肉厚部８の上下木口３、５にそれぞれ上部ヒンジのピン４０、下部ヒンジのピン６０（図８に表示）を位置させたものである。      【００３５】  図８は、第２実施形態の開口部構造を示す正面図である。第２実施形態の開口部構造は、第１実施形態の開口部構造と同様に、上枠１２および左右の縦枠１４を有する扉枠１０と、この扉枠１０と床２２で形成された開口部に設けられる扉１と、この扉１を支持する上部ヒンジ（支持手段）２６および下部ヒンジ（支持手段）４６とを備え��。さらに、床２２は、主として木質系材料で形成される。上部ヒンジ２６および下部ヒンジ４６は、上枠１２と扉の上木口３との間および扉の下木口５と床２２との間で扉を開閉可能（または回転可能）に支持する。      【００３６】  図９は、図８におけるIII−III線断面図である。図１０は、図８におけるIV−IV線断面図である。扉の両側に設けられた肉厚部８の形状は、扉１の前面の前方、すなわち開口面に直交する方向（出入方向）に凸状に形成され、かつ肉厚部８が先端９側に行くほど隣接する縦枠１４側に近寄るように形成される。      【００３７】  図１１は、第２実施形態の開口部構造の上部ヒンジ２６を示し、（Ａ）は要部断面図、（Ｂ）は（Ａ）におけるV−V線断面図である。上部ヒンジ２６は、上枠１２に固定される上枠側受け部２８と、上木口３側に固定される上木口側支持部材３６とを有し、上枠側受け部２８と上木口側支持部材３６は、互いに回転可能に連結される。      【００３８】  上木口側支持部材３６は、扉の肉厚部の上木口３に形成された穴３６ａに嵌入される有底の筒状体３７と、この筒状体３７内を摺動するピン４０と、ピン４０を上方に付勢するばね４２とを有する。ピン４０は、径の異なる二つの円柱が一対となった形状で、大径側が上枠の穴３２に挿入される。また、ピン４０には、これを上枠の穴３２に脱着（抜き差し）させるための突起４１が設けられる。      【００３９】  また、図１１（Ｂ）に示すように、肉厚部８は、扉１の前方に突出し、かつ隣接する図示していない縦枠１４側に寄った状態で形成され、その側面８ｂがその先端にいくほど外側に突出するように形成される。したがって、ピン（軸）４０は、扉１の右寄りの前方で縦枠１４に寄った位置にある。上枠側受け部２８は、第１実施形態に示した上枠側受け部（符号２８）と略同じで、上木口側支持部材のピン４０が挿入される穴３２が形成されている。      【００４０】  以上の構造を有する第２実施形態の開口部構造は、次のように作用する。すなわち、図７において、扉１は上部ヒンジおよび下部ヒンジが設けられる側の上下方向に延在する肉厚部８を有するので、この位置の扉の厚みが大きくなり、扉の断面二次モーメントや断面係数などが大きくなる。扉の断面二次モーメントや断面係数などが大きくなると扉に働く曲げモーメントやせん断力に対する曲げ剛性やせん断強度が高まり、曲がりや反り、振動などに強くなり、扉１の機械的、物理的強度を高めることができる。      【００４１】  図１２は、第２実施形態の開口部構造において、扉を開いた状態の横断面図である。上部ヒンジ２６のピン４０の中心および下部ヒンジ４６のピン６０の中心は、扉の片側寄りの前方で縦枠の前側先端１５より前方に位置し、扉の肉厚部の側面８ｂがその先端側に行くほど外側に突出するように形成される。このようにすると、扉１を１８０度回転させたときに、扉１は扉枠１０の前方に位置する。このとき肉厚部の側面８ｂがその先端に行くほど外側に突出するように形成されるので、扉１を開いたときの開口幅Ｗは、肉厚部の先端側側面８ｂと、反対側の戸当り２０との距離になる。このように第２実施形態の開口部構造は、扉１を１８０度開けるようにでき、かつ開口幅Ｗを大きくとれる。      【００��２】  さらに、扉１の肉厚部８は、上枠側受け部および床側受け部位置まで突出するので、上部ヒンジ２６および下部ヒンジ４６の構造が単純化され、かつ小型となる。図７〜１１に示した第２実施形態の開口部構造において、その他の構造と作用は、図１〜６に示した第１実施形態の開口部構造と同じであるので、その説明を省略する。      【００４３】  図１３は、本発明に係る開口部構造の第３実施形態を示す断面図である。第３実施形態の開口部構造は、扉１に設けられる肉厚部８が、扉１の前面側において両端から中央に向かって滑らかな凸曲面６４と凹曲面６５によって形成されたものである。凸曲面６４による肉厚部の上下木口に先に記したピン（軸）４０、６０を位置させる。      【００４４】  こうすることにより、扉１は補強された断面の断面二次モーメントや断面係数などが大きくなる。扉の断面二次モーメントや断面係数などが大きくなると扉１に働く曲げモーメントやせん断力に対して強度が高まり、曲がりや反り、振動などに強くなり、扉１の機械的、物理的強度を高めることができる。なお、図１３に示した第３実施形態の開口部構造において、その他の構造と作用は、第１、第２実施形態の開口部構造と同じであるので、その説明を省略する。      【００４５】  以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。      【００４６】    【発明の効果】  本発明によれば、扉の下がりが小さいので、扉が床に接触することもなく扉の開閉が速やかに行える。さらに、扉が少なくとも９０度以上回転するので開口幅が大きくなる。【図面の簡単な説明】    【図１】  本発明に係る開口部構造の第１実施形態を示す正面図である。    【図２】  図１におけるI−I線断面図である。    【図３】  図１におけるII−II線断面図である。    【図４】  第１実施形態の開口部構造の上部ヒンジを示し、（Ａ）は拡大側面図、（Ｂ）は平面図である。    【図５】  第１実施形態の開口部構造の下部ヒンジを示し、（Ａ）は拡大側面図、（Ｂ）は平面図である。    【図６】  第１実施形態の開口部構造において、扉を開いた状態の横断面図である。    【図７】  本発明に係る開口部構造の第２実施形態を示す斜視図である。    【図８】  第２実施形態の開口部構造を示す正面図である。    【図９】  図８におけるIII−III線断面図である。    【図１０】  図８におけるIV−IV線断面図である。    【図１１】  第２実施形態の開口部構造の上部ヒンジを示し、（Ａ）は要部断面図、（Ｂ）は（Ａ）におけるV−V線断面図である。    【図１２】  第２実施形態の開口部構造において、扉を開いた状態の横断面図である。    【図１３】  本発明に係る開口部構造の第３実施形態を示す断面図である。      【符号の説明】    １  扉    ３  上木口    ５  下木口    ８  肉厚部  １０  扉枠  １２  上枠  １４  縦枠  １５  前側先端  ２２  床  ２４  開口部  ２６  上部ヒンジ（支持手段）  ４０  ピン（軸）  ４６  下部ヒンジ（支持手段）  ６０  ピン（軸）【手続補正２】
【補正対象書類名】図面
【補正対象項目名】図１
【補正方法】変更
【補正の内容】
【図１】
2004150021.tif 000001
【手続補正３】
【補正対象書類名】図面
【補正対象項目名】図２
【補正方法】変更
【補正の内容】
【図２】
2004150021.tif 000002
【手続補正４】
【補正対象書類名】図面
【補正対象項目名】図６
【補正方法】変更
【補正の内容】
【図６】
2004150021.tif 000003
【手続補正５】
【補正対象書類名】図面
【補正対象項目名】図８
【補正方法】変更
【補正の内容】
【図８】
2004150021.tif 000004